(57)【要約】【課題】挿入口を塞いだ状態で無理に記録媒体を挿入しようとしても、挿入口を閉じたままに保つことができる開閉装置及び開閉装置を備えた記録媒体再生装置を提供する。【解決手段】ＣＤチェンジャ１は開閉装置６０を備えている。開閉装置６０は機器本体内にＣＤを出し入れするための挿入口６４を開閉する。開閉装置６０は固定シャッタ６１と移動シャッタ６２とスライド案内部６３を備えている。固定シャッタ６１は機器本体３に固定されている。移動シャッタ６２には挿入口６４が設けられている。スライド案内部６３は移動シャッタ６２を固定シャッタ６１に対し挿入口６４を塞ぐ閉鎖位置と挿入口６４を開放する開放位置とに亘って移動するように案内する。スライド案内部６３は閉鎖位置で移動シャッタ６２が挿入口６４内に通されるＣＤの表面に交差する方向に沿って移動することを規制する。【選択図】図３３
2005276340.tif 000002
【特許請求の範囲】
【請求項１】
記録媒体を機器本体の内外に搬送する際に、前記記録媒体が通る挿入口を開閉する開閉装置において、
前記挿入口が塞がれる閉鎖位置と前記挿入口が開放される開放位置とに亘って移動自在となる移動部材と、
前記挿入口に通される記録媒体の表面に対し交差する方向に沿って前記移動部材を案内するとともに、前記閉鎖位置では前記移動部材が前記記録媒体の表面に沿って移動することを許容しかつ前記移動部材が前記記録媒体の表面に対し交差する方向に沿って移動することを規制するスライド案内手段と、を備えたことを特徴とする開閉装置。
【請求項２】
前記移動部材を移動自在に設けた固定部材を備え、
前記固定部材と前記移動部材とのうち一方に前記挿入口が形成されているとともに、前記固定部材と前記移動部材とが重ねられて配置されており、
前記スライド案内手段は、前記固定部材と前記移動部材とのうち一方から他方に向かって突出した突起と、前記固定部材と前記移動部材とのうち他方に設けられかつ前記突起が侵入する孔と、を備えたことを特徴とする請求項１記載の開閉装置。
【請求項３】
前記孔は、
前記開放位置と前記閉鎖位置との間を前記移動部材が移動する際に前記突起が位置するとともに、前記挿入口を通される記録媒体の表面に対し交差する方向に沿って延びた傾斜部と、
前記閉鎖位置に移動部材が位置付けられると、前記突起が位置するとともに、前記挿入口を通される記録媒体の表面に沿って延びた平行部と、
を備えたことを特徴とする請求項２記載の開閉装置。
【請求項４】
前記挿入口と前記突起との双方は、前記移動部材に設けられ、
前記孔は、前記固定部材に設けられていることを特徴とする請求項３記載の開閉装置。
【請求項５】
請求項１ないし請求項４のうちいずれか一項に記載の開閉装置を備えたことを特徴とする記録媒体再生装置。
【発明の詳細な説明】
【技術分野】
【０００１】
本発明は、記録媒体再生装置などの電子機器の機器本体に記録媒体を出し入れする挿入口を開閉する開閉装置及び該開閉装置を備えた記録媒体再生装置に関する。
【背景技術】
【０００２】
コンパクトディスク（以下、ＣＤと記す）などの記録媒体を収容して、この記録媒体の情報を再生する記録媒体再生装置は、箱状の機器本体と、この機器本体内に収容される再生機構などを備えている。機器本体は、記録媒体再生装置の外殻を形成し、前述した記録媒体を出し入れする挿入口を設けている。再生機構は、機器本体内に収容されており、該機器本体内に収容された記録媒体の情報を読み出して再生する。
【０００３】
前述した従来の記録媒体再生装置は、前述した挿入口を通して、機器本体内にゴミや埃などが侵入することを防止する開閉装置を備えている。開閉装置は、前述した機器本体に固定される固定シャーシと、この固定シャーシに移動自在に設けられた移動シャーシとを備えている。
【０００４】
移動シャーシには、前述した挿入口が設けられている。挿入口は、扁平で横長の孔に形成されている。移動シャーシは、挿入口が固定シャーシにより塞がれる閉鎖位置と、挿入口が開放される開放位置とに亘って、固定シャーシに移動自在である。移動シャーシは、、図示しない駆動源としてのモータにより、前記挿入口の長手方向即ち挿入口内に挿入される記録媒体の表面に対し交差する方向に沿って移動されて、前述した挿入口を開閉する。
【０００５】
固定シャーシと移動シャーシとは、それぞれ、板金からなり平板状に形成されている。固定シャーシには、ガイド孔が設けられ、移動シャーシには、ガイド突起が設けられている。ガイド孔は、固定シャーシを貫通している。ガイド孔は、前記挿入口の長手方向即ち記録媒体の表面に対し交差する方向に沿って直線状に延びている。ガイド突起は、移動シャーシから固定シャーシに向かって凸に形成されている。ガイド突起は、ガイド孔内に位置付けられる。
【０００６】
前述した開閉装置は、前述したモータの駆動力により、移動シャーシが挿入口の長手方向即ち挿入口内に挿入される記録媒体の表面に沿って移動して、ガイド突起がガイド孔内を移動することで、前述した挿入口を開閉する。
【発明の開示】
【発明が解決しようとする課題】
【０００７】
しかしながら、前述した従来の開閉装置は、ガイド孔が前記記録媒体の表面に対し交差する方向に沿って直線状に延びている。このため、前述した閉鎖位置で即ち挿入口を塞いだ状態で、前述した記録媒体等で移動シャーシなどをこじって、無理に挿入口を開けようとすると、ガイド突起がガイド孔内を移動して、移動シャーシが開放位置に向かって移動することが考えられる。
【０００８】
そして、挿入口が開いて、記録媒体を機器本体内に挿入してしまうことが考えられる。この場合、機器本体内に記録媒体を挿入しない状態であっても、記録媒体を機器本体内に挿入してしまうなどの誤挿入が生じ、前述した記録媒体再生装置の故障の原因となる虞がある。
【０００９】
したがって、本発明の目的の一例は、挿入口を塞いだ状態で無理に記録媒体を挿入しようとしても、挿入口を閉じたままに保つことができる開放装置及び開放装置を備えた記録媒体再生装置を提供することにある。
【課題を解決するための手段】
【００１０】
前記課題を解決し目的を達成するために、請求項１に記載の本発明の開閉装置は、記録媒体を機器本体の内外に搬送する際に、前記記録媒体が通る挿入口を開閉する開閉装置において、前記挿入口が塞がれる閉鎖位置と前記挿入口が開放される開放位置とに亘って移動自在となる移動部材と、前記挿入口に通される記録媒体の表面に対し交差する方向に沿って前記移動部材を案内するとともに、前記閉鎖位置では前記移動部材が前記記録媒体の表面に沿って移動することを許容しかつ前記移動部材が前記記録媒体の表面に対し交差する方向に沿って移動することを規制するスライド案内手段と、を備えたことを特徴としている。
【００１１】
請求項５に記載の本発明の記録媒体再生装置は、請求項１ないし請求項４のうちいずれか一項に記載の開閉装置を備えたことを特徴としている。
【発明を実施するための最良の形態】
【００１２】
以下、本発明における開閉装置及び記録媒体再生装置の実施の形態について説明する。スライド案内手段が、挿入口を塞ぐ閉鎖位置で移動部材が記録媒体に表面に沿って移動することを許容しかつ記録媒体の表面に対し交差する方向に沿って移動することを規制する。こうすることで、閉鎖位置即ち挿入口を閉じた状態で、移動部材を記録媒体等で無理に移動しても、移動部材が記録媒体の表面に対し交差する方向に沿って移動しないので、挿入口を閉じたままに保つようにしたものである。
【００１３】
また、スライド案内手段は、固定部材と移動部材のうち一方から他方に向かって凸の突起と、他方に設けられかつ前記突起が侵入する孔とを備えても良い。
【００１４】
さらに、スライド案内手段の孔が、記録媒体の表面に対し交差する傾斜部と、記録媒体の表面に沿う平行部とを備え、閉鎖位置で、平行部内に突起が位置するようになっても良い。
【００１５】
また、挿入口と突起とを移動部材に設け、孔を固定部材に設けても良い。
【００１６】
さらに、本発明は、前述した開閉装置を備えた記録媒体再生装置でも良い。
【実施例】
【００１７】
以下、本発明の一実施例にかかる記録媒体再生装置の一例としてのＣＤチェンジャ１を、図１ないし図３７に基づいて説明する。図１などに示すＣＤチェンジャ１は、自動車などの移動体に装備されて、記録媒体としてのＣＤ２（図２などに示す）を複数収容して、これらのＣＤ２から任意のＣＤ２に記録された情報を読み出（再生）して、音声として出力する装置である。ＣＤ２は、勿論、円板状即ちディスク状に形成されており、コンピュータなどの電子機器で読みとることのできる情報を記録した記録媒体である。
【００１８】
ＣＤチェンジャ１は、図２に示すように、機器本体３（図１に示す）と、図示しない操作部と、開閉装置６０（図３３及び図３４に示す）と、ディスク搬送部４と、ディスク再生部５と、ディスク収容部６と、ディスク位置決め機構７とを備えている。なお、以下、図２中の矢印ＸをＣＤチェンジャ１の幅方向と記し、矢印ＹをＣＤチェンジャ１の奥行き方向と記し、矢印ＺをＣＤチェンジャ１の厚み方向と記す。
【００１９】
機器本体３は、合成樹脂からなる図１に示す外側ケース８と、板金などからなる図２などに示す固定シャーシ９などを備えている。外側ケース８は、扁平な箱状に形成されている。外側ケース８には、ＣＤ２を出し入れ可能な挿入口１０が設けられている。挿入口１０は、外側ケース８の外壁を貫通している。挿入口１０は、内側にＣＤ２を通すことができる。挿入口１０は、横長の扁平な孔である。挿入口１０と後述の挿入口６４を通して、前記ＣＤ２は、外側ケース８即ち機器本体３内に収容されたり、該機器本体３内から排出される。
【００２０】
固定シャーシ９は、外側ケース８内に収容されているとともに、該外側ケース８に固定されている。固定シャーシ９は、図３に示すように、板状の底板１１と、この底板１１の外縁から立設した周板１２とを備えている。底板１１は、外側ケース８の図１中下側に位置する壁上に重ねられている。
【００２１】
操作部は、機器本体３と別体でかつこの機器本体３に接続している。操作部は、ＣＤチェンジャ１の使用者により押圧されるなどして操作される。操作部は、使用者に操作されることで、挿入口１０を通して機器本体３内に挿入されるＣＤ２を保持する後述のホルダ１９を設定するために用いられる。操作部は、使用者に操作されることで、挿入口１０を通して機器本体３外に排出されるＣＤ２を保持したホルダ１９を設定するために用いられる。操作部は、使用者に操作されることで、複数のホルダ１９に保持されたＣＤ２のうち情報を読み出すＣＤ２を設定するために用いられる。
【００２２】
開閉装置６０は、ＣＤ２を機器本体３の内外に搬送する際に、内側にＣＤ２を通す前述した挿入口１０と後述の移動部材としての移動シャッタ６２に設けられた挿入口６４を開閉する。開閉装置６０は、図３３及び図３４に示すように、固定部材としての固定シャッタ６１と、移動部材としての移動シャッタ６２と、スライド案内手段としてのスライド案内部６３とを備えている。
【００２３】
固定シャッタ６１は、板金からなり矩形状の平板に形成されている。固定シャッタ６１は、外側ケース８と固定シャーシ９とのうち少なくとも一方に固定されている。このため、固定シャッタ６１は、機器本体３に固定されている。固定シャッタ６１は、その長手方向が機器本体３の幅方向Ｘと平行な状態に配されている。固定シャッタ６１は、前述した挿入口１０が設けられた外側ケース８の外壁の内側に配され、該外壁に重ねられている。固定シャッタ６１は、挿入口１０より図１中の上方に配されている。固定シャッタ６１は、移動シャッタ６２を移動自在に設けている。
【００２４】
移動シャッタ６２は、板金からなり矩形状の平板に形成されている。移動シャッタ６２は、スライド案内部６３などにより、固定シャッタ６１に対し移動自在に支持されている。移動シャッタ６２は、その長手方向が機器本体３の幅方向Ｘと平行な状態に配されている。移動シャッタ６２は、図３３中の上方に位置する縁部が前記固定シャッタ６１に重ねられ、固定シャッタ６１より機器本体３の内側に配されている。このため、固定シャッタ６１と移動シャッタ６２とは、重ねられて配置されている。また、移動シャッタ６２には、内側にＣＤ２を通すことのできる挿入口６４が設けられている。挿入口６４は、勿論、移動シャッタ６２を貫通している。
【００２５】
さらに、移動シャッタ６２には、後述のモータ２０により揺動する揺動アーム６５（図３５に示す）の端部６５ａ（図３３などに示す）が係止している。移動シャッタ６２は、モータ２０の駆動力により揺動アーム６５が揺動すると、挿入口１０，６４の長手方向（矢印Ｘ方向）即ちこれらの挿入口１０，６４内に通されるＣＤ２の表面に沿って移動する。
【００２６】
スライド案内部６３は、一対の突起６６と、一対の孔６７とを備えている。一対の突起６６は、それぞれ、移動シャッタ６２に設けられている。突起６６は、移動シャッタ６２の固定シャッタ６１と重なる縁部に設けられている。一対の突起６６は、移動シャッタ６２の長手方向の両端部即ち移動シャッタ６２の機器本体３の幅方向Ｘの両端部に設けられている。一対の突起６６は、互いの間に前述した挿入口６４を位置付けている。突起６６は、移動シャッタ６２から固定シャッタ６１に向かって凸に形成されている（突出している）。
【００２７】
一対の孔６７は、それぞれ、固定シャッタ６１に設けられている。孔６７は、勿論、固定シャッタ６１を貫通している。一対の孔６７は、固定シャッタ６１の長手方向の両端部即ち固定シャッタ６１の機器本体３の幅方向Ｘの両端部に設けられている。一対の孔６７内には、移動シャッタ６２に設けられた突起６６が侵入する。
【００２８】
孔６７は、平行部６８と、傾斜部６９とを備えている。平行部６８は、機器本体３の幅方向Ｘ即ち挿入口１０，６４内に通されるＣＤ２の表面に沿って直線状に延びている。傾斜部６９は、平行部６８に連なり、該平行部６８から移動シャッタ６２の固定シャッタ６１から露出した縁部に向かって延びている。即ち、傾斜部６９は、後述の開放位置で、平行部６８から移動シャッタ６２の挿入口６４に向かって延びている。こうして、傾斜部６９は、機器本体３の幅方向Ｘ即ち挿入口１０，６４内を通されるＣＤ２の表面と、該ＣＤ２の表面に対し直交する方向と、の双方に対し交差する方向に沿って直線状に延びている。
【００２９】
前述したスライド案内部６３は、孔６７内に突起６６を位置付けることで、図３３に示す閉鎖位置と、図３４に示す開放位置とに亘って、移動シャッタ６２が移動するように案内する。このため、移動シャッタ６２は、前述した閉鎖位置と開放位置とに亘って、移動自在である。
【００３０】
閉鎖位置では、突起６６は、図３６に示すように、平行部６８又は傾斜部６９の平行部６８寄りの端に位置している。閉鎖位置では、移動シャッタ６２と固定シャッタ６１との重なる部分が大きくなって（即ち、移動シャッタ６２が固定シャッタ６１寄りに位置して）、移動シャッタ６２に設けられた挿入口６４は、固定シャッタ６１により塞がれている。即ち、閉鎖位置では、挿入口６４は、塞がれている。
【００３１】
前述したように閉鎖位置では、突起６６が平行部６８又は傾斜部６９の平行部６８寄りの端に位置しているので、スライド案内部６３は、移動シャッタ６２が機器本体３の幅方向Ｘ即ち挿入口１０，６４内を通されるＣＤ２の表面に沿って移動することを許容し、移動シャッタ６２が機器本体３の幅方向即ち挿入口１０，６４内を通されるＣＤ２の表面に対し交差する方向に沿って移動することを規制する。
【００３２】
開放位置では、突起６６は、図３７に示すように、傾斜部６９の中央部に位置している。開放位置では、移動シャッタ６２と固定シャッタ６１との重なる部分が小さくなって（即ち、移動シャッタ６２が固定シャッタ６１から離れて）、移動シャッタ６２に設けられた挿入口６４は、固定シャッタ６１により塞がれることなく、開放されている。即ち、開放位置では、挿入口６４は、開放されている。
【００３３】
また、開放位置では、移動シャッタ６２に設けられた挿入口６４は、機器本体３の外側ケース８の外壁に設けられた挿入口１０と重なる（連なる）。前述した閉鎖位置では突起６６が平行部６８又は平行部６８の傾斜部６９寄りの端に位置し、開放位置では突起６６が傾斜部６９の中央部に位置するので、移動シャッタ６２が閉鎖位置と開放位置とに亘って移動する際に、突起６６は、傾斜部６９内に位置する。
【００３４】
前述した開閉装置６０は、機器本体３内にＣＤ２を挿入する際又は機器本体３内のＣＤ２を機器本体３外に排出する際に、移動シャッタ６２を開放位置に位置付けて、挿入口１０，６４を開放する。前述した開閉装置６０は、機器本体３内のＣＤ２を再生する際などには、移動シャッタ６２を閉鎖位置に位置付けて、挿入口１０，６４を閉鎖する（閉じる）。また、開閉装置６０は、モータ２０の駆動力により揺動アーム６５が回動して、移動シャッタ６２が機器本体３の幅方向Ｘ即ち挿入口１０，６４内を通されるＣＤ２の表面に沿って移動することで、移動シャッタ６２が前述した閉鎖位置と開放位置とに亘って移動する。
【００３５】
ディスク搬送部４は、機器本体３内に収容されており、図２に示すように、ローラアーム１３と、ローラ１４とを備えている。ローラアーム１３は、板金などからなり、長手方向が機器本体３の幅方向Ｘに沿った帯状に形成されている。ローラアーム１３は、挿入口１０の近傍に配され、機器本体３の固定シャーシ９に取り付けられている。
【００３６】
ローラ１４は、ローラアーム１３に軸芯周りに回転自在に支持されている。ローラ１４の軸芯即ち長手方向は、ＣＤチェンジャ１の幅方向Ｘに沿っている。ローラ１４は、外周面に挿入口１０内を通されるＣＤ２が接触する。ローラ１４は、複数の歯車１５などを介して後述の第２の駆動源としてのモータ４１により、軸芯周りに回転される。ローラ１４の外周面にＣＤ２が接触し、ローラ１４がモータ４１により回転駆動されることで、ディスク搬送部４は、挿入口１０，６４内にＣＤ２を通す。ディスク搬送部４は、挿入口１０，６４内にＣＤ２を通すことで、ＣＤ２を機器本体３の内外に搬送する。
【００３７】
ディスク再生部５は、機器本体３内に収容されており、図３に示すように、第２支持部材としての移動シャーシ１６と、揺動シャーシ１７と、図示しないピックアップ再生部と、を備えている。移動シャーシ１６は、板金などからなり、枠状に形成されている。移動シャーシ１６は、ディスク収容部６のホルダ１９が互いに重なる方向即ち複数のＣＤ２が互いに重なる方向Ｋ（図２などに矢印で示す）に沿って移動自在に、固定シャーシ９の周板１２などに支持されている。
【００３８】
揺動シャーシ１７は、板金などからなり、帯板状に形成されている。揺動シャーシ１７は、一端部を中心として回動自在に移動シャーシ１６に支持されている。揺動シャーシ１７は、一端部を中心として回動することで、ディスク収容部６に収容される複数のＣＤ２間に他端部が侵入する状態と、ディスク収容部６に収容される複数のＣＤ２間から他端部が抜け出る状態とに亘って変位自在になっている。
【００３９】
ピックアップ再生部は、揺動シャーシ１７に設けられている。ピックアップ再生部は、ターンテーブルと、ピックアップ部などを備えている。ターンテーブルは、回転テーブルと、スピンドルモータと、複数のクランプ爪とを備えている。回転テーブルは、揺動シャーシ１７の他端部に回転自在に支持されている。回転テーブルは、円板状に形成されており、表面上にＣＤ２が置かれる。
【００４０】
スピンドルモータは、揺動シャーシ１７の他端部と回転テーブルとの間に設けられている。スピンドルモータは、回転テーブルを回転する。クランプ爪は、回転テーブルの表面から突没自在に設けられている。クランプ爪は、回転テーブルの表面から突出すると、回転テーブル上のＣＤ２の中央孔内に突出して、回転テーブルとの間にＣＤ２を挟む。クランプ爪は、回転テーブルとの間に挟むことで、ＣＤ２をクランプする。
【００４１】
ピックアップ部は、ピックアップとしての光ピックアップと、ピックアップ移動部とを備えている。光ピックアップは、ターンテーブルに接離する方向に移動自在に揺動シャーシ１７に支持されている。光ピックアップは、ターンテーブルに支持されたＣＤ２から情報を読み出す。ピックアップ移動部は、光ピックアップをターンテーブルに接離させる。なお、接離とは、互いに近づいたり離れたりすることである。
【００４２】
ディスク再生部５は、揺動シャーシ１７の他端部がＣＤ２間に侵入して、ターンテーブルのクランプ爪がＣＤ２をクランプするとともに、ターンテーブルの回転テーブルがＣＤ２を回転する。ディスク再生部５は、ピックアップ部の光ピックアップが、ターンテーブルにより回転されたＣＤ２から情報を読み出す。
【００４３】
ディスク収容部６は、機器本体３内に収容されており、図３に示すように、支持部材及び第１の壁としての移動シャーシ１８と、複数の保持部材としてのホルダ１９とを備えている。移動シャーシ１８は、板金などからなり、板状に形成されている。移動シャーシ１８は、固定シャーシ９の底板１１と間隔をあけて平行に配されている。移動シャーシ１８は、固定シャーシ９の底板１１との間にディスク再生部５を位置付けている。移動シャーシ１８は、前述した矢印Ｋに沿って移動自在に固定シャーシ９の周板１２などに支持されている。
【００４４】
ホルダ１９は、合成樹脂からなり、板状に形成されている。ホルダ１９の平面形状は、Ｃ字状に形成されている。ホルダ１９は、底板１１と移動シャーシ１８との双方と平行な状態で、移動シャーシ１８に支持されている。ホルダ１９は、そのＣ字状に形成された開口部が挿入口１０と相対する状態に配されている。
【００４５】
ホルダ１９は、挿入口１０を通して機器本体３に挿入されたＣＤ２が、開口部を通して内側に侵入することで、このＣＤ２を保持する。複数のホルダ１９は、各々が保持するＣＤ２の表面が互いに平行になるように、互いに重ねられて配されている。ホルダ１９は、前記矢印Ｋに沿って移動自在に移動シャーシ１８などに支持されている。各々のホルダ１９には、外方向に向かって突出した突起２９（図１０ないし図２４に示す）が設けられている。
【００４６】
ディスク位置決め機構７は、機器本体３内に収容されており、駆動源としてのモータ２０（図３に示す）と、離間溝拡縮機構２１（図５ないし図９に示す）と、連動移動機構２２（図２５ないし図３２に示す）とを備えている。モータ２０は、図３に示すように、固定シャーシ９に固定されている。
【００４７】
離間溝拡縮機構２１は、図４に示すように、３つ設けられており、機器本体３の隅部に設けられている。離間溝拡縮機構２１は、図５ないし図９に示すように、円柱状に形成されており、スライド部材２３と、第２スライド部材２４とを備えている。スライド部材２３は、部材本体２５と、第３スライド部材２６とを備えている。
【００４８】
部材本体２５は、円柱状に形成されており、固定シャーシ９の底板１１に軸芯周りに回転自在に支持されている。部材本体２５は、底板１１から立設している。部材本体２５の軸芯は、前述した矢印Ｋと平行に配されている。部材本体２５は、前述したモータ２０の駆動力により軸芯周りに回転される。部材本体２５がモータ２０の駆動力により軸芯周りに回転されることは、本明細書に記した部材本体２５がモータ２０の駆動力により移動されることを示している。
【００４９】
第３スライド部材２６は、円管状に形成されており、部材本体２５の外周に取り付けられてこの部材本体２５と同軸に配されている。第３スライド部材２６と部材本体２５とは、キーにより互いに取り付けられている。第３スライド部材２６は、前述した矢印Ｋに沿って移動自在に部材本体２５に取り付けられている。また、第３スライド部材２６は、前述した部材本体２５と一体に（連動して）前述した軸芯周りに回転する。
【００５０】
また、前述したスライド部材２３には、図１０ないし図２４に示すように、第１の壁としての移動シャーシ１８が取り付けられているとともに、第２の壁２７と、連結壁２８が設けられている。移動シャーシ１８と第２の壁２７は、スライド部材２３の軸芯方向の両縁に設けられており、軸芯に沿って互いに間隔をあけて配されている。このため、移動シャーシ１８と第２の壁２７は、スライド部材２３の両縁から外周方向に突出している。
【００５１】
移動シャーシ１８は、スライド部材２３の第３スライド部材２６の固定シャーシ９の底板１１から離れた側の縁に取り付けられている。このことを、本発明では、第１の壁としての移動シャーシ１８がスライド部材２３に設けられているという。このため、第３スライド部材２６は、移動シャーシ１８と一体に（連動して）矢印Ｋに沿って移動する。移動シャーシ１８は、前述した矢印Ｋに対し直交する方向に沿った平板状に形成されている。
【００５２】
第２の壁２７は、部材本体２５と第３スライド部材２６とに亘って設けられており、スライド部材２３の固定シャーシ９の底板１１寄りの縁に設けられている。第２の壁２７は、スライド部材２３の縁から外周方向に突出している。このため、第２の壁２７は、円環状に形成されている。第２の壁２７は、第３スライド部材２６から部材本体２５に向かうにしたがって、移動シャーシ１８から徐々に離れる方向に、前述した矢印Ｋとこの矢印Ｋに対し直交する方向との双方に交差した方向に延びている。
【００５３】
また、前述した移動シャーシ１８と第２の壁２７との間において、矢印Ｋに沿って互いの間に第２スライド部材２４の後述のくさび部３０が位置付けられていない部分では、前述した移動シャーシ１８と第２の壁２７との間隔は、ホルダ１９の数と突起２９の矢印Ｋ方向の幅との積に等しい又は略等しい。連結壁２８は、第３スライド部材２６に設けられ、前述した矢印Ｋに沿って直線状に延びているとともに、前記移動シャーシ１８と第２の壁２７とを互いに連結している。
【００５４】
スライド部材２３は、前述した移動シャーシ１８と第２の壁２７との間に、突起２９を位置付けて、前述したホルダ１９を保持する。また、スライド部材２３は、軸芯周りに回転することで、前述した移動シャーシ１８と第２の壁２７との間で突起２９が前述した連結壁２８から接離するように矢印Ｋに対し交差する方向に沿って移動することを許容する。このため、スライド部材２３は、モータ２０の駆動力により、後述の離間溝３９，４０の奥に向かって突起２９が侵入する方向に移動される。さらに、スライド部材２３は、後述の収容位置で、すべてのホルダ１９の突起２９を、移動シャーシ１８と第２の壁２７との間に位置付ける。
【００５５】
第２スライド部材２４は、円管状に形成されており、部材本体２５の外周に取り付けられてこの部材本体２５等と同軸に配されている。第２スライド部材２４と部材本体２５とは、キーにより互いに取り付けられている。第２スライド部材２４は、前述した矢印Ｋに沿って移動自在に部材本体２５に取り付けられている。また、第２スライド部材２４は、前述した部材本体２５と一体（連動して）に前述した軸芯周りに回転する。さらに、第２スライド部材２４は、ディスク再生部５の移動シャーシ１６に取り付けられており、この移動シャーシ１６即ち前述した光ピックアップと一体に（連動して）矢印Ｋに沿って移動する。
【００５６】
さらに、第２スライド部材２４は、くさび部３０と、案内溝３１とを備えている。くさび部３０は、前述した移動シャーシ１８と、第２の壁２７との間に位置しているとともに、連結壁２８と間隔をあけて配されている。このため、第２スライド部材２４のくさび部３０は、前述した移動シャーシ１８と第２の壁２７との間を矢印Ｋに沿って移動する。くさび部３０は、第３スライド部材２６に向かうにしたがって、矢印Ｋに沿う幅が徐々に細くなるように形成されている。
【００５７】
案内溝３１は、くさび部３０に設けられている。案内溝３１は、第２スライド部材２４のくさび部３０の外周面に形成されている。即ち、案内溝３１は、第２スライド部材２４のくさび部３０の外周面から凹に形成されている。案内溝３１の矢印Ｋに沿う幅は、一つの突起２９の矢印Ｋに沿う幅と略等しい。案内溝３１は、図１０ないし図２４に示すように、連結壁２８に相対する開口部３２と、ローディング部３３と、ピックアップ侵入部３４と、第１連結部３５と、クランプ部３６と、第２連結部３７と、再生部３８とを備えている。ローディング部３３と、ピックアップ侵入部３４と、クランプ部３６と、再生部３８とは、矢印Ｋに対し直交する方向に沿って延びている。第１連結部３５と、第２連結部３７とは、矢印Ｋとこの矢印Ｋに対し直交する方向との双方に対し交差する方向に沿って延びている。
【００５８】
ローディング部３３は、開口部３２に連なり、この開口部３２の連結壁２８から離れた側に配されている。ピックアップ侵入部３４は、ローディング部３３に連なり、このローディング部３３の連結壁２８から離れた側に配されている。さらに、ピックアップ侵入部３４は、ローディング部３３より部材本体２５の第２の壁２７から離れた側に配されている。
【００５９】
第１連結部３５は、ピックアップ侵入部３４に連なり、このピックアップ侵入部３４の連結壁２８から離れた側に配されている。第１連結部３５は、ピックアップ侵入部３４から離れるのにしたがって徐々に部材本体２５の第２の壁２７に近づく方向に延びている。クランプ部３６は、第１連結部３５に連なり、この第１連結部３５の連結壁２８から離れた側に配されている。第２連結部３７は、クランプ部３６に連なり、このクランプ部３６の連結壁２８から離れた側に配されている。第２連結部３７は、クランプ部３６から離れるのにしたがって徐々に部材本体２５の第２の壁２７に近づく方向に延びている。再生部３８は、第２連結部３７に連なり、この第２連結部３７の連結壁２８から離れた側に配されている。
【００６０】
案内溝３１は、開口部３２を通して、突起２９が侵入することを許容する。さらに、案内溝３１は、ローディング部３３と、ピックアップ侵入部３４と、第１連結部３５と、クランプ部３６と、第２連結部３７と、再生部３８内に順に突起２９が移動することを許容する。
【００６１】
ローディング部３３内に位置付けられた突起２９を設けたホルダ１９は、挿入口１０と矢印Ｙに沿って相対する。そして、ローディング部３３内に位置付けられた突起２９を設けたホルダ１９は、挿入口１０を通して挿入されたＣＤ２を保持できるとともに、挿入口１０を通して保持したＣＤ２を機器本体３外に排出できる。
【００６２】
ピックアップ侵入部３４内に位置付けられた突起２９を設けたホルダ１９は、図２中下方に位置する他のホルダ１９から離れて、この図中下方に位置するホルダ１９との間に揺動シャーシ１７の他端部即ちピックアップ再生部が侵入することを許容する。クランプ部３６内に位置付けられた突起２９を設けたホルダ１９は、保持したＣＤ２をディスク再生部５のターンテーブルがクランプすることを許容する。再生部３８内に位置付けられた突起２９を設けたホルダ１９は、ターンテーブルにクランプされたＣＤ２から離されて、ターンテーブルにより回転されるＣＤ２に干渉（接触）しない。即ち、ＣＤ２が回転することを許容する。
【００６３】
また、前述した移動シャーシ１８と第２スライド部材２４のくさび部３０との間は、本明細書に記した第１の離間溝３９をなしている。さらに、前述した第２の壁２７と第２スライド部材２４のくさび部３０との間は、本明細書に記した第２の離間溝４０をなしている。第１の離間溝３９と第２の離間溝４０は、ホルダ１９の突起２９が侵入することを許容する。
【００６４】
第１の離間溝３９と第２の離間溝４０とは、第２スライド部材２４が、矢印Ｋに沿って移動することで、互いに連動して矢印Ｋに沿った幅が拡縮する（拡がったり狭くなる）。第２スライド部材２４が矢印Ｋに沿ってスライドした際に、第１の離間溝３９の幅が拡がると第２の離間溝４０の幅が狭くなり、第２の離間溝４０の幅が拡がると第１の離間溝３９の幅が狭くなる。また、第１の離間溝３９の幅と第２の離間溝４０の幅との和は、ホルダ１９の数から１を引いて得られる数と一つの突起２９の矢印Ｋ方向の幅との積に等しい又は略等しい。
【００６５】
前述した構成によれば、移動シャーシ１８と第２の壁２７との間に位置付けられたすべてのホルダ１９の突起２９は、モータ２０によりスライド部材２３と第２スライド部材２４とが一体に（連動して）回転（移動）することで、一つの突起２９が案内溝３１内に侵入する。残りの突起２９のうち案内溝３１に侵入した突起２９より矢印Ｋ１（図５などに示す）側に位置するホルダ１９の突起２９が第１の離間溝３９内に侵入し、案内溝３１に侵入した突起２９より矢印Ｋ２（図５などに示す）側に位置するホルダ１９の突起２９が第２の離間溝４０内に侵入する。なお、矢印Ｋ１は、前述した矢印Ｋの一方側をなしているとともに、矢印Ｋ２は、前述した矢印Ｋの他方側をなしている。
【００６６】
すべてのホルダ１９の突起２９が、案内溝３１に侵入することなく連結壁２８に近づいて移動シャーシ１８と第２の壁２７との間に位置する状態は、本明細書では、ホルダ１９が収容位置に位置するという。また、第２スライド部材２４のくさび部３０が連結壁２８と間隔をあけているため、収容位置では、第１の離間溝３９と第２の離間溝４０とは、一体になっている。さらに、収容位置では、複数のホルダ１９が互いに近接する。
【００６７】
突起２９が、案内溝３１の再生部３８内と、第１及び第２の離間溝３９，４０の奥に侵入する状態は、本明細書では、ホルダ１９が再生位置に位置するという。再生位置では、第２スライド部材２４のくさび部３０により、前記案内溝３１内に突起２９が侵入したホルダ１９は、収容位置より他のホルダ１９から離れる。再生位置では、情報を再生するＣＤ２を保持したホルダ１９が他のホルダ１９から離れるとともに、情報を再生するＣＤ２を保持したホルダ１９と他のホルダ１９との間にピックアップが侵入可能になる。
【００６８】
突起２９が、第３スライド部材２６の第２の壁２７と移動シャーシ１８との間に位置し、案内溝３１のローディング部３３内と、第１及び第２の離間溝３９，４０に侵入した状態は、本明細書では、ホルダ１９がローディング位置に位置するという。
【００６９】
また、前述した再生位置では、第１の離間溝３９内に情報を再生するＣＤ２を保持したホルダ１９の矢印Ｋ１側のホルダ１９の突起２９が侵入する。第１の離間溝３９は、前記矢印Ｋ１側のホルダ１９を、情報を再生するＣＤ２を保持したホルダ１９から離す。
【００７０】
さらに、再生位置とローディング位置では、第２の離間溝４０内に情報を再生するＣＤ２を保持したホルダ１９の矢印Ｋ２側のホルダ１９の突起２９が侵入する。第２の離間溝４０は、前記矢印Ｋ２側のホルダ１９を、情報を再生するＣＤ２を保持したホルダ１９から離す。
【００７１】
連動移動機構２２は、図２５などに示すように、第２の駆動源としてのモータ４１（図３に示す）と、駆動部材としての駆動シャーシ４２（図３に示す）と、第１突起４３と、第１孔４４と、第２突起４５と、第２孔４６とを備えている。なお、図３には、駆動シャーシ４２と後述の第２駆動シャーシ５３を２つずつ示しているが、実際には、駆動シャーシ４２と第２駆動シャーシ５３は一つずつ設けられている。
【００７２】
連動移動機構２２は、ディスク収容部６のホルダ１９を収容位置と再生位置とに亘って移動させる際には、第３スライド部材２６を、部材本体２５に対し矢印Ｋに沿って移動して、部材本体２５の第２の壁２７から最も遠ざけておく。そして、連動移動機構２２は、再生位置に位置付けるＣＤ２を保持したホルダ１９の突起２９が案内溝３１に侵入できる位置に、第２スライド部材２４を位置付ける。
【００７３】
連動移動機構２２は、ディスク収容部６のホルダ１９を再生位置とローディング位置とに亘って移動させる即ちＣＤ２を機器本体３内に出し入れする際には、第２スライド部材２４を、スライド部材２３に対し矢印Ｋに沿って移動して、部材本体２５の第２の壁２７に最も近づけておく。そして、連動移動機構２２は、ローディング位置に位置付けられた即ち出し入れされたＣＤ２を保持するホルダ１９の突起２９が案内溝３１に侵入できる位置に、第３スライド部材２６を位置付ける。連動移動機構２２は、第２の駆動源としてのモータ４１の駆動力により、前述したように、第２スライド部材２４即ちディスク再生部５の移動シャーシ１６と、第３スライド部材２６即ちディスク収容部６の移動シャーシ１８とを連動して、矢印Ｋに沿って移動する。
【００７４】
モータ４１は、固定シャーシ９の底板１１などに取り付けられている。駆動シャーシ４２は、板金からなり、板状に形成されている。駆動シャーシ４２の平面形状は、矩形状に形成されている。駆動シャーシ４２は、機器本体３の固定シャーシ９の周板１２に、矢印Ｋに対し直交（交差）する方向に沿って移動自在に支持されている。駆動シャーシ４２は、第２の駆動源としてのモータ４１の駆動力により回転される歯車４８と噛み合ったラック４７を有した第２駆動シャーシ５３（図２及び図３に示す）が矢印Ｋに対し直交する方向に沿ってスライドすることで、矢印Ｋに対し直交する方向に沿ってスライドする。即ち、駆動シャーシ４２は、第２の駆動源としてのモータ４１の駆動力により、矢印Ｋに対し交差（直交）する方向に沿って固定シャーシ９の周板１２に対し移動される。
【００７５】
第１突起４３は、ディスク収容部６の移動シャーシ１８から駆動シャーシ４２に向かって突出している。第１孔４４は、駆動シャーシ４２に設けられている。勿論、第１孔４４は、駆動シャーシ４２を貫通している。第１孔４４には、第１突起４３が侵入する。
【００７６】
第１孔４４は、図２５ないし図３２に示すように、第１平行部４９と第１傾斜部５０とを備えている、第１平行部４９は、前述した矢印Ｋに対し直交する方向に沿って直線状に延びている。第１傾斜部５０は、第１平行部４９の端に連なりかつ前述した矢印Ｋと該矢印Ｋに対し直交する方向との双方に対し交差する方向に沿って直線状に延びている。第１傾斜部５０は、第１平行部４９から離れるにしたがって徐々に部材本体２５の第２の壁２７に近づく方向に傾斜している。
【００７７】
第２突起４５は、ディスク再生部５の移動シャーシ１６から駆動シャーシ４２に向かって突出している。第２孔４６は、駆動シャーシ４２に設けられている。勿論、第２孔４６は、駆動シャーシ４２を貫通している。第２孔４６には、第２突起４５が侵入する。
【００７８】
第２孔４６は、第２傾斜部５１と第２平行部５２とを備えている、第２傾斜部５１は、前述した矢印Ｋと該矢印Ｋに対し直交する方向との双方に対し交差する方向に沿って直線状に延びている。第２傾斜部５１は、第２平行部５２から離れるにしたがって、徐々に部材本体２５の第２の壁２７から離れる方向に傾斜している。第２傾斜部５１は、第１傾斜部５０と平行である。第２平行部５２は、第２傾斜部５１の端に連なりかつ前述した矢印Ｋに対し直交する方向に沿って直線状に延びている。
【００７９】
第１突起４３が第１傾斜部５０内に位置付けられると、第２突起４５が第２平行部５２内に位置付けられる。第１突起４３が第１平行部４９内に位置付けられると、第２突起４５が第２傾斜部５１内に位置付けられる。
【００８０】
前述した連動移動機構２２は、第２の駆動源としてのモータ４１の駆動力により、ホルダ１９をローディング位置に位置付ける際即ちＣＤ２を機器本体３内に出し入れする際には、第２突起４５が第２平行部５２内を移動し、第１突起４３が第１傾斜部５０内を移動する位置に駆動シャーシ４２を位置付ける。前述した連動移動機構２２は、第２の駆動源としてのモータ４１の駆動力により、ホルダ１９を再生位置と収容位置とに亘って移動する際には、第２突起４５が第２傾斜部５１内を移動し、第１突起４３が第１平行部４９内を移動する位置に駆動シャーシ４２を位置付ける。
【００８１】
なお、連動移動機構２２により、第２突起４５が第２平行部５２内に位置付けられると、第２スライド部材２４が最も部材本体２５の第２の壁２７に近づく。最も部材本体２５の第２の壁２７に近づいた第２スライド部材２４の案内溝３１のローディング部３３内に突起２９が位置付けられたホルダ１９は、前述した挿入口１０を通して出し入れされるＣＤ２を保持できる位置に位置付けられる。
【００８２】
前述した構成のＣＤチェンジャ１は、機器本体３内に収容した複数のＣＤ２のうち前述した操作部などにより任意に選択された一つのＣＤ２の情報を読み出す際には、図１０に示すように、駆動源としてのモータ２０の駆動力によりすべてのホルダ１９の突起２９を連結壁２８に接触させておく。さらに、ディスク再生部５の揺動シャーシ１７の他端部即ちターンテーブルとピックアップ再生部を、複数のＣＤ２間から退避させておく。また、第２の駆動源としてのモータ４１の駆動力により、図２５に示すように、第１突起４３が第１孔４４の第１平行部４９内に位置する位置に駆動シャーシ４２を位置付ける。そして、図１０に示すように、第３スライド部材２６に取り付けられた移動シャーシ１８を部材本体２５の第２の壁２７から最も遠ざけておく。さらに、図３３及び図３６に示すように、移動シャッタ６２を閉鎖位置に位置付けておく。
【００８３】
そして、第２の駆動源としてのモータ４１の駆動力により、図２６に示すように、第２突起４５が第２孔４６の第２傾斜部５１内を移動して、情報が読み出される任意に選択された一つのＣＤ２を保持したホルダ１９の突起２９が案内溝３１に矢印Ｋに対し直交する方向に沿って相対する位置に、駆動シャーシ４２を位置付ける。そして、図６及び図１１に示すように、第２スライド部材２４の案内溝３１を、矢印Ｋに対し直交する方向に沿って、情報が読み出される任意に選択された一つのＣＤ２を保持したホルダ１９の突起２９と相対させる。なお、図６及び図１１では、図中上から四つ目のホルダ１９の突起２９と第２スライド部材２４に設けられた案内溝３１とを相対させている。
【００８４】
そして、駆動源としてのモータ２０の駆動力により、スライド部材２３即ち部材本体２５と第３スライド部材２６及び第２スライド部材２４を一体に回転させる。そして、すべてのホルダ１９の突起２９が、連結壁２８から徐々に離れる。すると、図１２に示すように、情報が読み出される任意に選択された一つのＣＤ２を保持したホルダ１９の突起２９が、案内溝３１の開口部３２に侵入する。さらに、他のＣＤ２を保持したホルダ１９の突起２９が、第２スライド部材２４のくさび部３０に接触するとともに、くさび部３０などにより、第１及び第２の離間溝３９，４０内を移動する。
【００８５】
さらに、駆動源としてのモータ２０の駆動力により、スライド部材２３即ち部材本体２５と第３スライド部材２６及び第２スライド部材２４を一体に回転させると、図１３に示すように、情報が読み出される任意に選択された一つのＣＤ２を保持したホルダ１９の突起２９がローディング部３３内に位置する。
【００８６】
その後、図１４に示すように、前述した一つのＣＤ２を保持したホルダ１９の突起２９が案内溝３１のピックアップ侵入部３４内に位置する。このとき、揺動シャーシ１７が、一端部を中心として回転して、他端部即ちターンテーブルとピックアップ再生部が前述した一つのＣＤ２と他のＣＤ２との間に侵入する。
【００８７】
そして、前述した一つのＣＤ２を保持したホルダ１９の突起２９が、第１連結部３５内を通り、図１５に示すように、クランプ部３６内に位置する。このとき、ディスク再生部５のターンテーブルが前述した一つのＣＤ２をクランプする。そして、前述した一つのＣＤ２を保持したホルダ１９の突起２９が、第２連結部３７内を通り、図７及び図１６に示すように、再生部３８内に位置する。
【００８８】
さらに、前述した一つのＣＤ２の矢印Ｋ１側に位置するＣＤ２を保持したホルダ１９の突起２９が、第２スライド部材２４のくさび部３０により第１の離間溝３９の奥即ち連結壁２８から離れた側に移動する。さらに、前述した一つのＣＤ２の矢印Ｋ２側に位置するＣＤ２を保持したホルダ１９の突起２９が、第２スライド部材２４のくさび部３０により第２の離間溝４０の奥即ち連結壁２８から離れた側に移動する。
【００８９】
そして、図７及び図１６に示すように、第２スライド部材２４のくさび部３０に設けられた案内溝３１により、前述した一つのＣＤ２を保持したホルダ１９が位置決めされる。さらに、第２スライド部材２４のくさび部３０と、移動シャーシ１８及び第２の壁２７とにより即ち第１及び第２の離間溝３９，４０により、前述した一つのＣＤ２を保持したホルダ１９を他のホルダ１９から離す。さらに、他のホルダ１９を、第１及び第２の離間溝３９，４０により、位置決めする。
【００９０】
さらに、前述した一つのＣＤ２を保持したホルダ１９の突起２９が再生部３８内に位置すると、該ホルダ１９が、ディスク再生部５のターンテーブルによりクランプされたＣＤ２から遠ざけられる。そして、ホルダ１９にＣＤ２の回転が妨げられることが防止される。ターンテーブルがクランプしたＣＤ２を回転するとともに、ピックアップ再生部の光ピックアップがＣＤ２の所望の位置から情報を読み出す。前述した一つのＣＤ２からの情報の読み出しを停止する際には、駆動源としてのモータ２０の駆動力により、スライド部材２３即ち部材本体２５と第３スライド部材２６及び第２スライド部材２４を先ほどと逆向きに回転する。
【００９１】
前述したように、第２スライド部材２４を矢印Ｋに沿って移動して、第１の離間溝３９の幅と第２の離間溝４０の幅とを連動して拡縮することで、所望のＣＤ２を保持したホルダ１９を位置決めするとともに他のホルダ１９から離す。例えば、図１７に示すように、図中下から二番目のＣＤ２を保持したホルダ１９を再生位置に位置付ける際や、図１８に示すように、図中上から二番目のＣＤ２を保持したホルダ１９を再生位置に位置付ける際も同様である。なお、図１７及び図１８に示す状態では、図２７及び図２８に示すように、第１突起４３が第１平行部４９内に位置するとともに、第２突起４５が第２傾斜部５１内に位置する。
【００９２】
また、前述した構成のＣＤチェンジャ１は、操作部などに命令により、機器本体３内に収容した複数のＣＤ２のうち任意に選択された一つのＣＤ２を機器本体３外に排出したり、ＣＤ２を機器本体３内に挿入して任意に選択された一つのホルダ１９に保持させる際には、図５、図８及び図１９に示すように、駆動源としてのモータ２０の駆動力によりすべてのホルダ１９の突起２９を連結壁２８に接触させておく。さらに、ディスク再生部５の揺動シャーシ１７の他端部即ちターンテーブルとピックアップ再生部を、複数のＣＤ２間から退避させておく。
【００９３】
また、図２９に示すように、第２の駆動源としてのモータ４１の駆動力により第２突起４５が第２孔４６の第２平行部５２内に位置する位置に駆動シャーシ４２を位置付ける。そして、図５、図８及び図１９に示すように、第２スライド部材２４を部材本体２５の第２の壁２７に最も近づけておく。さらに、図３３及び図３６に示すように、移動シャッタ６２を閉鎖位置に位置付けておく。このとき、勿論、突起６６が平行部６８内に位置している。
【００９４】
そして、モータ２０の駆動力により、揺動アーム６５を回動して、移動シャッタ６２を徐々に移動する。スライド案内部６３の突起６６が孔６７内に位置しているので、突起６６が平行部６８から傾斜部６９に向かって徐々に移動する。そして、移動シャッタ６２の移動に伴って、突起６６が傾斜部６９内を移動して平行部６８から徐々に離れていく。そして、移動シャッタ６２が固定シャッタ６１から徐々に離れる。そして、移動シャッタ６２が、図３４及び図３７に示すように、開放位置に位置付けられて、挿入口６４が開放される。すると、挿入口６４が挿入口１０と重なり、これらの挿入口１０，６４を通して機器本体３の内外にＣＤ２を搬送可能になる。
【００９５】
そして、第２の駆動源としてのモータ４１の駆動力により、図３０に示すように、第１突起４３が第１孔４４の第１傾斜部５０内を移動して、機器本体３内に挿入されたＣＤ２を保持する又は保持したＣＤ２を機器本体３外に排出する一つのホルダ１９の突起２９が案内溝３１に矢印Ｋに対し直交する方向に沿って相対する位置に、駆動シャーシ４２を位置付ける。
【００９６】
そして、図５、図８及び図２０に示すように、第２スライド部材２４の案内溝３１を、矢印Ｋに対し直交する方向に沿って、前述した一つのホルダ１９の突起２９と相対させる。なお、図５、図８及び図２０では、図中上から四つ目のホルダ１９の突起２９と第２スライド部材２４に設けられた案内溝３１とを相対させている。
【００９７】
そして、駆動源としてのモータ２０の駆動力により、スライド部材２３即ち部材本体２５と第３スライド部材２６及び第２スライド部材２４を一体に回転させる。そして、すべてのホルダ１９の突起２９が、連結壁２８から徐々に離れる。すると、図２１に示すように、前述した一つのホルダ１９の突起２９が、案内溝３１の開口部３２に侵入する。さらに、前述した他のホルダ１９の突起２９が、第２スライド部材２４のくさび部３０に接触するとともに、くさび部３０などにより、第１及び第２の離間溝３９，４０内を移動する。
【００９８】
さらに、駆動源としてのモータ２０の駆動力により、スライド部材２３即ち部材本体２５と第３スライド部材２６及び第２スライド部材２４を一体に回転させると、図９及び図２２に示すように、前述した一つのホルダ１９の突起２９が、案内溝３１のローディング部３３内に位置する。さらに、前述した他のホルダ１９の突起２９が、第２スライド部材２４のくさび部３０により第１の離間溝３９及び第２の離間溝４０の奥即ち連結壁２８から離れた側に移動する。
【００９９】
そして、図９及び図２２に示すように、第２スライド部材２４のくさび部３０に設けられた案内溝３１により、前述した一つのホルダ１９がローディング位置に位置決めされる。さらに、第２スライド部材２４のくさび部３０と移動シャーシ１８及び第２の壁２７とにより即ち第１及び第２の離間溝３９，４０により、前述した一つのホルダ１９を他のホルダ１９から離す。さらに、第１及び第２の離間溝３９，４０により、他のホルダ１９を位置決めする。
【０１００】
そして、第２の駆動源としてのモータ４１の駆動力によりローラ１４がＣＤ２を出し入れする方向に応じて回転する。ローラ１４が回転することで、挿入口１０，６４を通して機器本体３内にＣＤ２の出し入れが行われる。前述したＣＤ２の出し入れを停止する際には、ローラ１４の回転を停止するとともに、駆動源としてのモータ２０の駆動力により、スライド部材２３即ち部材本体２５と第３スライド部材２６及び第２スライド部材２４を先ほどと逆向きに回転する。
【０１０１】
前述したように、第２スライド部材２４を矢印Ｋに沿って移動することで、第１の離間溝３９の幅と第２の離間溝４０の幅とを連動して拡縮することで、所望のホルダ１９をローディング位置に位置決めするとともに他のホルダ１９から離す。例えば、図２３に示すように、図中上から二番目のホルダ１９をローディング位置に位置付ける際や、図２４に示すように、図中下から二番目のホルダ１９をローディング位置に位置付ける際も同様である。なお、図２３及び図２４に示す状態では、図３１及び図３２に示すように、第２突起４５が第２平行部５２内に位置するとともに、第１突起４３が、第１傾斜部５０内に位置する。
【０１０２】
また、前述した開閉装置６０は、移動シャッタ６２を図３４及び図３７に示す開放位置から図３３及び図３６に示す閉鎖位置に移動する際には、モータ２０の駆動力により挿入口６４を開放する際と逆向きに揺動アーム６５を回動する。すると、移動シャッタ６２が、機器本体３の幅方向Ｘ即ち挿入口１０，６４の長手方向に沿って、挿入口６４を開放する際と逆向きに徐々に移動する。そして、突起６６が傾斜部６９から徐々に平行部６８に向かって移動する。
【０１０３】
そして、移動シャッタ６２が、固定シャッタ６１に徐々に近づく。その後、突起６６が、傾斜部６９から平行部６８内に位置付けられて、移動シャッタ６２が、閉鎖位置に位置付けられる。そして、挿入口６４が、固定シャッタ６１に塞がることとなる。
【０１０４】
本実施例によれば、スライド案内部６３が、挿入口６４を塞ぐ閉鎖位置で移動シャッタ６２がＣＤ２の表面に対し交差する方向に沿って移動することを規制する。このため、閉鎖位置即ち挿入口１０，６４を閉じた状態で、移動シャッタ６２をＣＤ２等で無理に移動しても、移動シャッタ６２がＣＤ２の表面に沿って移動して、ＣＤ２の表面に対し交差する方向に沿って移動しない。したがって、挿入口６４を塞いだ状態で無理にＣＤ２を挿入しようとしても、挿入口６４を閉じたままに保つことができる。
【０１０５】
スライド案内部６３が、移動シャッタ６２に設けられた突起６６と、固定シャッタ６１に設けられた孔６７とを備えている。このため、スライド案内部６３は、移動シャッタ６２を閉鎖位置と開放位置とに亘って確実に案内できるとともに、閉鎖位置で移動シャッタ６２がＣＤ２の表面に対し交差する方向に沿って移動することを確実に防止できる。
【０１０６】
スライド案内部６３の孔６７が、閉鎖位置で突起６６が位置しかつＣＤ２の表面に沿って延びた平行部６８を備えている。このため、閉鎖位置で移動シャッタ６２がＣＤ２の表面に対し交差する方向に沿って移動しようとしても、突起６６と孔６７とが干渉して、突起６６が平行部６８に沿って移動しようとする。即ち、閉鎖位置で、移動シャッタ６２がＣＤ２の表面に対し交差する方向に沿って移動することなく、ＣＤ２の表面に沿って移動しようとする。したがって、挿入口６４を塞いだ状態で無理にＣＤ２を挿入しようとしても、挿入口６４を閉じたままに保つことができる。
【０１０７】
挿入口６４と突起６６とが移動シャッタ６２に設けられ、孔６７が固定シャッタ６１に設けられている。このため、孔６７と突起６６即ちスライド案内部６３が、移動シャッタ６２を閉鎖位置と開放位置とに亘って確実に移動できる。
【０１０８】
また、任意に選択されたＣＤ２を保持したホルダ１９の突起２９を案内溝３１内に侵入させる。選択されたホルダ１９の矢印Ｋ１側の他のホルダ１９の突起２９を第１の離間溝３９内に侵入させ、かつ矢印Ｋ２側の他のホルダ１９の突起２９を第２の離間溝４０内に侵入させる。こうして、突起２９を案内溝３１と第１の離間溝３９と第２の離間溝４０内に侵入させて、選択されたＣＤ２を他のＣＤ２から離して、選択されたＣＤ２から情報を読み出す。
【０１０９】
また、離間溝拡縮機構２１により、第１及び第２の離間溝３９，４０の幅が互いに連動して拡縮するとともに、第１の離間溝３９の幅と第２の離間溝４０の幅の和がホルダ１９の数から１を引いて得られた数と突起２９の幅との積に略等しい。このため、がたつくことなく、前述した選択されたＣＤ２を保持したホルダ１９と、他のホルダ１９を位置決めできる。
【０１１０】
このため、コイルばねを設けることなく、離間溝拡縮機構２１が第１及び第２の離間溝３９，４０の幅を連動して拡縮することで、選択された任意のＣＤ２を保持したホルダ１９を、他のホルダ１９から離すことができる。これにより、ＣＤチェンジャ１が自動車などに搭載されて、走行中などの振動が作用しても、ホルダ１９が振動することを防止できる。したがって、確実に任意に選択されたＣＤ２を保持したホルダ１９を確実に再生位置に位置付けることができる。自動車などに搭載されて、走行中などの振動が作用しても、任意に選択されたＣＤ２の情報を確実に再生することができる。
【０１１１】
離間溝拡縮機構２１が、スライド部材２３と、このスライド部材２３に矢印Ｋに沿って移動自在に設けられた第２スライド部材２４とを備えている。スライド部材２３に取り付けられた移動シャーシ１８と第２スライド部材２４のくさび部３０との間が第１の離間溝３９を形成し、スライド部材２３の第２の壁２７と第２スライド部材２４のくさび部３０との間が第２の離間溝４０を形成し、第２スライド部材２４のくさび部３０に案内溝３１が形成されている。
【０１１２】
このため、第２スライド部材２４を矢印Ｋに沿ってスライドすることで、第１及び第２の離間溝３９，４０の幅を確実に連動して拡縮（増減）できる。さらに、任意に選択された情報が再生されるＣＤ２を保持したホルダ１９の位置に応じて、第２スライド部材２４がスライドする。したがって、確実に任意に選択されたＣＤ２を保持したホルダ１９を確実に再生位置に位置付けることができる。
【０１１３】
第２スライド部材２４と光ピックアップとが一体に（連動して）移動するので、第２スライド部材２４と光ピックアップとの相対的な位置が常に一定に保たれる。このため、第２スライド部材２４に設けられた案内溝３１により再生位置に位置決めされたホルダ１９に保持されたＣＤ２から光ピックアップで情報を確実に再生することができる。
【０１１４】
ＣＤ２から情報を読み出す際には、スライド部材２３の第３スライド部材２６を矢印Ｋ１側に移動させて、選択された情報を再生するＣＤ２を保持したホルダ１９の位置に応じて、第２スライド部材２４をスライドさせる。このため、ＣＤ２から情報を読み出す際には、任意のＣＤ２を再生位置に位置付けることができる。したがって、任意のＣＤ２から情報を読み出して再生できる。
【０１１５】
また、ＣＤ２を出し入れする際には、第２スライド部材２４を矢印Ｋ２側に移動させて、この第２スライド部材２４の位置と出し入れするＣＤ２に対応したホルダ１９の位置に応じて、第３スライド部材２６をスライドさせる。このため、機器本体３に出し入れされるＣＤ２を保持する又は保持したホルダ１９と機器本体３との相対的な位置を一定に保つことができる。このため、ＣＤ２を挿入口１０内を通して確実に出し入れすることができるとともに、機器本体３内に挿入されたＣＤ２をホルダ１９に確実に保持できる。
【０１１６】
また、連動移動機構２２により、ホルダ１９を収容位置と再生位置とに亘って移動することと、ホルダ１９をローディング位置に位置決めすることを一連の動作で行うことができる。このため、部品点数の削減とコストの低減を図ることができる。さらに、ホルダ１９を収容位置と再生位置とに亘って移動する状態とＣＤ２を出し入れする状態とをスムーズに切り換えることができる。
【０１１７】
連動移動機構２２が、第１孔４４と第２孔４６が設けられた駆動シャーシ４２と、ディスク収容部６の移動シャーシ１８に設けられた第１突起４３と、ディスク再生部５の移動シャーシ１６に設けられた第２突起４５とを備えている。第１孔４４は、第１傾斜部５０と第１平行部４９とからなり、第２孔４６は、第２傾斜部５１と第２平行部５２とからなる。
【０１１８】
ＣＤ２を出し入れする際には、第２突起４５が第２平行部５２内を移動し、第１突起４３が第１傾斜部５０内を移動する。これにより、ＣＤ２を出し入れする際には、ディスク再生部５の移動シャーシ１８即ち第２スライド部材２４が、スライドせずに、位置決めされる。さらに、ＣＤ２を出し入れする際には、ディスク収容部６の移動シャーシ１８と第３スライド部材２６即ちホルダ１９が、矢印Ｋに沿って移動する。
【０１１９】
このため、機器本体３に出し入れされるＣＤ２を保持する又は保持したホルダ１９と機器本体３との相対的な位置を一定に保つことができる。したがって、挿入口１０内を通して、ＣＤ２を確実に出し入れすることができるとともに、機器本体３内に挿入したＣＤ２をホルダ１９に確実に保持できる。
【０１２０】
ホルダ１９を収容位置と再生位置とに亘って移動する際には、第１突起４３が第１平行部４９内を移動し、第２突起４５が第２傾斜部５１内を移動する。これにより、ホルダ１９を収容位置と再生位置とに亘って移動する際には、ディスク収容部６の移動シャーシ１８と第３スライド部材２６即ちホルダ１９を、スライドせずに位置決めできる。さらに、ホルダ１９を収容位置と再生位置とに亘って移動する際には、ディスク再生部５の移動シャーシ１６即ち第２スライド部材２４が、矢印Ｋに沿って移動する。
【０１２１】
このため、ＣＤ２から情報を読み出す際には、任意のＣＤ２を再生位置に確実に位置決めすることができる。したがって、任意のＣＤ２から情報を読み出して再生できる。
【０１２２】
スライド部材２３が円柱状に形成され、第２スライド部材２４が円管状に形成されている。移動シャーシ１８と第２の壁２７はスライド部材２３の両縁に設けられている。スライド部材２３と第２スライド部材２４とは、同軸に配され、駆動源としてのモータ２０の駆動力により一体に回転する。このように、スライド部材２３を回転することで、ホルダ１９を収容位置と再生位置とに亘って移動できる。したがって、スライド部材２３の移動軌跡を最小限にすることができ、機器本体３即ちＣＤチェンジャ１の小型化を図ることができる。
【０１２３】
前述した実施例では、突起６６を移動シャッタ６２に設け、孔６７を固定シャッタ６１に設けている。しかしながら、本発明では、図３８及び図３９に示すように、突起６６を固定シャッタ６１に設け、孔６７を移動シャッタ６２に設けても良い。なお、図３８及び図３９に示す場合において、前述した実施例と同一部分には同一符号を付して説明を省略する。
【０１２４】
突起６６は、固定シャッタ６１の移動シャッタ６２と重なる縁部に設けられている。突起６６は、固定シャッタ６１から移動シャッタ６２に向かって凸に形成されている（突出している）。
【０１２５】
孔６７は、勿論、移動シャッタ６２を貫通している。孔６７内には、固定シャッタ６１に設けられた突起６６が侵入する。平行部６８は傾斜部６９より移動シャッタ６２寄りに配されている。前述したスライド案内部６３は、孔６７内に突起６６を位置付けることで、図３８に示す閉鎖位置と、図３９に示す開放位置とに亘って、移動シャッタ６２が移動するように案内する。勿論、閉鎖位置では、突起６６が平行部６８内に位置し挿入口６４が固定シャッタ６１により塞がれ、開放位置では、突起６６が傾斜部６９内に位置し挿入口６４が開放している。
【０１２６】
これらの図３８及び図３９に示すスライド案内部６３においても、モータ２０の駆動力により揺動アーム６５が回動することで、移動シャッタ６２が前述した閉鎖位置と開放位置とに亘って移動する。これらの図３８及び図３９に示す場合においても、前述した実施例と同様に、閉鎖位置で、突起６６が平行部６８内に位置するので、移動シャッタ６２が挿入口６４を開放する方向に不意に移動して、挿入口６４が開くことを防止できる。
【０１２７】
また、本発明では、固定シャッタ６１に挿入口６４を設けても良いことは勿論である。
【０１２８】
前述した実施例では、ディスク形記録媒体としてのＣＤ２を複数収容するＣＤチェンジャ１を示している。しかしながら、本発明では、例えば、ディスク形記録媒体としてのＭＤ（Mini Disc）を複数収容するＭＤチェンジャや、例えば、ＤＶＤ（Digital Versatile Disc）などの他のディスク形記録媒体を複数収容する記録媒体再生装置に適用しても良い。さらに、本発明は、前述したＭＤ、ＤＶＤなどの記録媒体を一枚のみ収容して、収容した一枚の記録媒体の情報を再生する記録媒体再生装置にも適用することができる。
【０１２９】
また、前述した実施例では、スライド部材２３を円柱状に形成し、第２スライド部材２４を円管状に形成し、軸芯周りに回転することで、これらを移動している。しかしながら、本発明では、スライド部材２３と第２スライド部材２４などを例えば板状などの円管及び円管状以外の形状に形成し、例えば、スライドなどの軸芯周りの回転以外の方向にこれらを移動しても良い。
【０１３０】
さらに、前述した実施例では、第２スライド部材２４と光ピックアップとを一体に移動している。しかしながら、本発明では、第２スライド部材２４と光ピックアップとを必ずしも一体に移動しなくても良い。要するに、本発明では、第２スライド部材２４と光ピックアップとを連動させて移動することで、これらの相対的な位置間隔を一定に保つことができれば良い。
【０１３１】
また、前述した実施例では、連動移動機構２２により、第２スライド部材２４の移動と、第３スライド部材２６の移動とを、一つの駆動源により行えるようにしている。しかしながら、本発明では、第２スライド部材２４の移動と、第３スライド部材２６の移動とを、互いに独立した駆動源により行っても良い。
【０１３２】
前述した実施例によれば、以下の開閉装置６０及びＣＤチェンジャ１が得られる。
【０１３３】
（付記１）  ＣＤ２を機器本体３の内外に搬送する際に、前記ＣＤ２が通る挿入口６４を開閉する開閉装置６０において、
前記挿入口６４が塞がれる閉鎖位置と前記挿入口６４が開放される開放位置とに亘って移動自在となる移動シャッタ６２と、
前記挿入口６４に通されるＣＤ２の表面に対し交差する方向に沿って前記移動シャッタ６２を案内するとともに、前記閉鎖位置では前記移動シャッタ６２が前記ＣＤ２の表面に沿って移動することを許容しかつ前記移動シャッタ６２が前記ＣＤ２の表面に対し交差する方向に沿って移動することを規制するスライド案内部６３と、を備えたことを特徴とする開閉装置６０。
【０１３４】
（付記２）
前記移動シャッタ６２を移動自在に設けた固定シャッタ６１を備え、
前記固定シャッタ６１と前記移動シャッタ６２とのうち一方に前記挿入口６４が形成されているとともに、前記固定シャッタ６１と前記移動シャッタ６２とが重ねられて配置されており、
前記スライド案内部６３は、前記固定シャッタ６１と前記移動シャッタ６２とのうち一方から他方に向かって突出した突起６６と、前記固定シャッタ６１と前記移動シャッタ６２とのうち他方に設けられかつ前記突起６６が侵入する孔６７と、を備えたことを特徴とする付記１記載の開閉装置６０。
【０１３５】
（付記３）  前記孔６７は、
前記開放位置と前記閉鎖位置との間を前記移動シャッタ６２が移動する際に前記突起６６が位置するとともに、前記挿入口６４を通されるＣＤ２の表面に対し交差する方向に沿って延びた傾斜部６９と、
前記閉鎖位置に移動シャッタ６２が位置付けられると、前記突起６６が位置するとともに、前記挿入口６４を通されるＣＤ２の表面に沿って延びた平行部６８と、
を備えたことを特徴とする付記２記載の開閉装置６０。
【０１３６】
（付記４）  前記挿入口６４と前記突起６６との双方は、前記移動シャッタ６２に設けられ、
前記孔６７は、前記固定シャッタ６１に設けられていることを特徴とする付記３記載の開閉装置６０。
【０１３７】
（付記５）  付記１ないし付記４のうちいずれか一項に記載の開閉装置６０を備えたことを特徴とするＣＤチェンジャ１。
【０１３８】
付記１に記載の開閉装置６０によれば、スライド案内部６３が、挿入口６４を塞ぐ閉鎖位置で移動シャッタ６２がＣＤ２の表面に対し交差する方向に沿って移動することを規制する。このため、閉鎖位置即ち挿入口６４を閉じた状態で、移動シャッタ６２をＣＤ２等で無理に移動しても、移動シャッタ６２がＣＤ２の表面に沿って移動して、ＣＤ２の表面に対し交差する方向に沿って移動しない。したがって、挿入口６４を塞いだ状態で無理にＣＤ２を挿入しようとしても、挿入口６４を閉じたままに保つことができる。
【０１３９】
付記２に記載の開閉装置６０によれば、スライド案内部６３が、固定シャッタ６１と移動シャッタ６２のうち一方に設けられた突起６６と、他方に設けられた孔６７とを備えている。このため、スライド案内部６３は、移動シャッタ６２を閉鎖位置と開放位置とに亘って確実に案内できるとともに、閉鎖位置で移動シャッタ６２がＣＤ２の表面に対し交差する方向に沿って移動することを確実に防止できる。
【０１４０】
付記３に記載の開閉装置６０によれば、スライド案内部６３の孔６７が、閉鎖位置で突起６６が位置しかつＣＤ２の表面に沿って延びた平行部６８を備えている。このため、閉鎖位置で移動シャッタ６２がＣＤ２の表面に対し交差する方向に沿って移動しようとしても、突起６６と孔６７とが干渉して、突起６６が平行部６８に沿って移動しようとする。即ち、閉鎖位置で、移動シャッタ６２がＣＤ２の表面に対し交差する方向に沿って移動することなく、ＣＤ２の表面に沿って移動しようとする。したがって、挿入口６４を塞いだ状態で無理にＣＤ２を挿入しようとしても、挿入口６４を閉じたままに保つことができる。
【０１４１】
付記４に記載の開閉装置６０によれば、挿入口６４と突起６６とが移動シャッタ６２に設けられ、孔６７が固定シャッタ６１に設けられている。このため、孔６７と突起６６即ちスライド案内部６３が、移動シャッタ６２を閉鎖位置と開放位置とに亘って確実に移動できる。
【０１４２】
付記５に記載のＣＤチェンジャ１によれば、開閉装置６０のスライド案内部６３が、挿入口６４を塞ぐ閉鎖位置で移動シャッタ６２がＣＤ２の表面に対し交差する方向に沿って移動することを規制する。したがって、閉鎖位置即ち挿入口６４を閉じた状態で、無理にＣＤ２を挿入しようとしても、挿入口６４を閉じたままに保つことができる。
【０１４３】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【０１４４】
【図１】本発明の一実施例にかかる記録媒体再生装置としてのＣＤチェンジャの外観を示す斜視図である。
【図２】図１に示されたＣＤチェンジャの互いに組み付けられた固定シャーシとディスク搬送部とディスク再生部とディスク収容部とディスク位置決め機構を示す斜視図である。
【図３】図２に示された固定シャーシとディスク再生部とディスク収容部との一部を分解して示す斜視図である。
【図４】図２に示されたディスク収容部のホルダと離間溝拡縮機構とを示す斜視図である。
【図５】図４に示された離間溝拡縮機構を拡大して示す斜視図である。
【図６】図５に示された離間溝拡縮機構の第２スライド部材が部材本体の第２の壁から最も離れて一つのホルダの突起と案内溝とが相対した状態を示す斜視図である。
【図７】図６に示された状態の離間溝拡縮機構の移動部材を回転して突起を案内溝の再生部に位置付けた状態を示す斜視図である。
【図８】図５に示された離間溝拡縮機構のスライド部材が部材本体の第２の壁に最も近づいて一つのホルダの突起と案内溝とが相対した状態を示す斜視図である。
【図９】図８に示された状態の離間溝拡縮機構の移動部材を回転して突起を案内溝のローディング部に位置付けた状態を示す斜視図である。
【図１０】図５に示された離間溝拡縮機構の移動部材とスライド部材をこれらの周方向に展開して示す展開図である。
【図１１】図１０に示されたスライド部材の案内溝を一つのホルダの突起と相対させた状態を模式的に示す展開図である。
【図１２】図１１に示された状態から移動部材を回転して、案内溝内に突起を挿入し始めた状態を模式的に示す展開図である。
【図１３】図１２に示された状態から移動部材を更に回転して、案内溝のローディング部内に突起が位置した状態を模式的に示す展開図である。
【図１４】図１３に示された状態から移動部材を更に回転して、案内溝のピックアップ侵入部内に突起が位置した状態を模式的に示す展開図である。
【図１５】図１４に示された状態から移動部材を更に回転して、案内溝のクランプ部内に突起を位置付けた状態を模式的に示す展開図である。
【図１６】図１５に示された状態から移動部材を更に回転して、案内溝の再生部内に突起を位置付けた状態を模式的に示す展開図である。
【図１７】図１６に示された下から２つ目のホルダの突起を案内溝の再生部内に位置付けた状態を模式的に示す展開図である。
【図１８】図１６に示された上から２つ目のホルダの突起を案内溝の再生部内に位置付けた状態を模式的に示す展開図である。
【図１９】図１０に示されたスライド部材を部材本体の第２の壁に最も近づけた状態を模式的に示す展開図である。
【図２０】図１９に示されたスライド部材の案内溝に一つのホルダの突起を相対させた状態を模式的に示す展開図である。
【図２１】図２０に示された状態から移動部材を回転して、案内溝内に突起を挿入し始めた状態を模式的に示す展開図である。
【図２２】図２１に示された状態から移動部材を更に回転して、案内溝のローディング部内に突起を位置付けた状態を模式的に示す展開図である。
【図２３】図２２に示された上から２つ目の保持部材の突起を案内溝のローディング部内に位置付けた状態を模式的に示す展開図である。
【図２４】図２２に示された下から２つ目の保持部材の突起を案内溝のローディング部内に位置付けた状態を模式的に示す展開図である。
【図２５】図１０に示された状態の連動移動機構を示す平面図である。
【図２６】図１１に示された状態の連動移動機構を示す平面図である。
【図２７】図１７に示された状態の連動移動機構を示す平面図である。
【図２８】図１８に示された状態の連動移動機構を示す平面図である。
【図２９】図１９に示された状態の連動移動機構を示す平面図である。
【図３０】図２０に示された状態の連動移動機構を示す平面図である。
【図３１】図２３に示された状態の連動移動機構を示す平面図である。
【図３２】図２４に示された状態の連動移動機構を示す平面図である。
【図３３】図１に示されたＣＤチェンジャの開閉装置を示す正面図である。
【図３４】図３３に示された開閉装置が挿入口を開放した状態を示す正面図である。
【図３５】図３３に示された開閉装置の移動シャッタを移動する揺動アームなどを示す斜視図である。
【図３６】図３３に示された開閉装置の要部を拡大して示す正面図である。
【図３７】図３４に示された開閉装置の要部を拡大して示す正面図である。
【図３８】図３６に示された開閉装置の変形例の要部を拡大して示す正面図である。
【図３９】図３７に示された開閉装置の変形例の要部を拡大して示す正面図である。
【符号の説明】
【０１４５】
１  ＣＤチェンジャ（記録媒体再生装置）
２  ＣＤ（記録媒体）
３  機器本体
１０  挿入口
６０  開閉装置
６１  固定シャッタ（固定部材）
６２  移動シャッタ（移動部材）
６３  スライド案内部（スライド案内手段）
６４  挿入口
６６  突起
６７  孔
６８  平行部
６９  傾斜部
【図１】
2005276340.tif 000003
【図２】
2005276340.tif 000004
【図３】
2005276340.tif 000005
【図４】
2005276340.tif 000006
【図５】
2005276340.tif 000007
【図６】
2005276340.tif 000008
【図７】
2005276340.tif 000009
【図８】
2005276340.tif 000010
【図９】
2005276340.tif 000011
【図１０】
2005276340.tif 000012
【図１１】
2005276340.tif 000013
【図１２】
2005276340.tif 000014
【図１３】
2005276340.tif 000015
【図１４】
2005276340.tif 000016
【図１５】
2005276340.tif 000017
【図１６】
2005276340.tif 000018
【図１７】
2005276340.tif 000019
【図１８】
2005276340.tif 000020
【図１９】
2005276340.tif 000021
【図２０】
2005276340.tif 000022
【図２１】
2005276340.tif 000023
【図２２】
2005276340.tif 000024
【図２３】
2005276340.tif 000025
【図２４】
2005276340.tif 000026
【図２５】
2005276340.tif 000027
【図２６】
2005276340.tif 000028
【図２７】
2005276340.tif 000029
【図２８】
2005276340.tif 000030
【図２９】
2005276340.tif 000031
【図３０】
2005276340.tif 000032
【図３１】
2005276340.tif 000033
【図３２】
2005276340.tif 000034
【図３３】
2005276340.tif 000035
【図３４】
2005276340.tif 000036
【図３５】
2005276340.tif 000037
【図３６】
2005276340.tif 000038
【図３７】
2005276340.tif 000039
【図３８】
2005276340.tif 000040
【図３９】
2005276340.tif 000041